(57)【特許請求の範囲】
【請求項１】
車台（２）の下側に走行装置（３）を設け、車台（２）の前部に刈取機（４）を設け、車台（２）の上側には脱穀機（５）と該脱穀機（５）の右側に備える貯留タンク（６）を設け、該貯留タンク（６）の後側に、下部移送筒（９）と上部移送筒（１０）とに分割された移送排出筒（８）を設けたコンバインにおいて、前記貯留タンク（６）に内装されるタンク移送螺旋（６ａ）の後端部を軸支する後支持メタル（６ｃ）を、貯留タンク（６）の後側板（６ｂ）の外側面に装着し、前記下部移送筒（９）の下端部に設けた回動ケース（９ｂ）を後支持メタル（６ｃ）の外側部へ回動自在に装着し、前記上部移送筒（１０）を下部移送筒（９）に対して折り畳み自在に設けて、該回動ケース（９ｂ）と下部移送筒（９）と上部移送筒（１０）とを一体でコンバインの機体（１ａ）の右外側方へ回動させた状態から、上部移送筒（１０）を下部移送筒（９）に対して折り畳んだ後に下部移送筒（９）を略垂直状態になるまで回動操作することで、該上部移送筒（１０）が収納状態となる構成とし、前記下部移送筒（９）の後方外側の部位に設けたガスダンパ（２４）の上端側を下部移送筒（９）に装着すると共に該ガスダンパ（２４）の下端側を車台（２）の右側後端部に装着し、前記下部移送筒（９）を上下方向の任意の回動位置で固定するブレーキ装置（２０）を設けると共に、該ブレーキ装置（２０）を操作するブレーキレバー（１７ｃ）を下部移送筒（９）の移送終端部に軸支して、前記移送排出筒（８）を機体（１ａ）の右外側方へ回動させた状態から収納状態となる側へ回動操作するときに、ブレーキレバー（１７ｃ）の操作でブレーキ装置（２０）を解除操作して移送排出筒（８）の下部移送筒（９）を略垂直状態となる位置の近傍へ回動操作すると、以後は、該下部移送筒（９）が前記ガスダンパ（２４）の推力によって略垂直状態になるまで自動的に回動して上部移送筒（１０）が収納状態となる構成としたことを特徴とするコンバイン。
【請求項２】
前記上部移送筒（１０）の移送終端に備えた排出筒（１１）の先端部に、蛇腹式のシュータ（１１ｂ）を設けたことを特徴とする請求項１に記載のコンバイン。
【発明の詳細な説明】
【技術分野】
【０００１】
この発明は、コンバインに関する。
【背景技術】
【０００２】
コンバインの貯留タンク内へ貯留した穀粒の被貯留物の機外への排出は、この貯留タンクの下部、及び後側へ設けた貯留物取出筒と、排出オーガとにより、移送されて機外へ排出する。この排出作業は、下述のように行われる。
【０００３】
穀粒を貯留する前記貯留タンクの下部に穀粒取出筒を下部へ向けて設け、該穀粒取出筒を貯留タンクの支持枠内に位置させて設けると共に、電動モータで駆動する排出螺旋を内装した排出オーガを、穀粒取出筒に回動自在に装着している。又、該排出オーガを左右、及び上下回動調節自在に構成し、更に、該排出オーガは、前記電動モータ以外の別に設けた電動モータにより、上下回動調節自在に設け、貯留タンク内の穀粒を穀粒取出筒から、排出オーガを経て機外へ排出する。
【特許文献１】特開２００１−２２４２３７号公報
【発明の開示】
【発明が解決しようとする課題】
【０００４】
貯留タンクの後側へ設けた排出オーガのオーガ筒は、上下中間部で上・下オーガ筒に二分割して、該上オーガ筒は折り畳み自在である。該上・下オーガ筒の接合部両側にフランジを設け、この各フランジ部には、回動自在に枢着したピンと、係合用の係合フックとを設けている。上オーガ筒を折り畳み操作するときには、この係合フックを回動操作して、係合を解除し、その後にピンを回動中心として、上オーガ筒を折り畳み操作する。
【０００５】
前記排出オーガを最低下降位置、及び最高上昇位置（収納位置）の全範囲にわたり、手動回動移動操作するが、最高上昇位置への操作は、重量が重いことにより、操作が困難であると共に、危険であったが、この発明により、これらの問題点を解決しようとするものである。
【課題を解決するための手段】
【０００６】
上述のような課題を解決するために、この発明は、次のような技術手段を講じる。
このために、請求項１に記載の発明においては、車台（２）の下側に走行装置（３）を設け、車台（２）の前部に刈取機（４）を設け、車台（２）の上側には脱穀機（５）と該脱穀機（５）の右側に備える貯留タンク（６）を設け、該貯留タンク（６）の後側に、下部移送筒（９）と上部移送筒（１０）とに分割された移送排出筒（８）を設けたコンバインにおいて、前記貯留タンク（６）に内装されるタンク移送螺旋（６ａ）の後端部を軸支する後支持メタル（６ｃ）を、貯留タンク（６）の後側板（６ｂ）の外側面に装着し、前記下部移送筒（９）の下端部に設けた回動ケース（９ｂ）を後支持メタル（６ｃ）の外側部へ回動自在に装着し、前記上部移送筒（１０）を下部移送筒（９）に対して折り畳み自在に設けて、該回動ケース（９ｂ）と下部移送筒（９）と上部移送筒（１０）とを一体でコンバインの機体（１ａ）の右外側方へ回動させた状態から、上部移送筒（１０）を下部移送筒（９）に対して折り畳んだ後に下部移送筒（９）を略垂直状態になるまで回動操作することで、該上部移送筒（１０）が収納状態となる構成とし、前記下部移送筒（９）の後方外側の部位に設けたガスダンパ（２４）の上端側を下部移送筒（９）に装着すると共に該ガスダンパ（２４）の下端側を車台（２）の右側後端部に装着し、前記下部移送筒（９）を上下方向の任意の回動位置で固定するブレーキ装置（２０）を設けると共に、該ブレーキ装置（２０）を操作するブレーキレバー（１７ｃ）を下部移送筒（９）の移送終端部に軸支して、前記移送排出筒（８）を機体（１ａ）の右外側方へ回動させた状態から収納状態となる側へ回動操作するときに、ブレーキレバー（１７ｃ）の操作でブレーキ装置（２０）を解除操作して移送排出筒（８）の下部移送筒（９）を略垂直状態となる位置の近傍へ回動操作すると、以後は、該下部移送筒（９）が前記ガスダンパ（２４）の推力によって略垂直状態になるまで自動的に回動して上部移送筒（１０）が収納状態となる構成としたことを特徴とするコンバインとしたものである。
【０００７】
請求項２に記載の発明においては、前記上部移送筒（１０）の移送終端に備えた排出筒（１１）の先端部に、蛇腹式のシュータ（１１ｂ）を設けたことを特徴とする請求項１に記載のコンバインとしたものである。
【発明の効果】
【０００８】
請求項１に記載の発明によると、ガスダンパ（２４）によって下部移送筒（９）の回動操作の補助をさせることで、移送排出筒（８）の回動操作を容易に行うことができる。また、ガスダンパ（２４）を下部移送筒（９）の後方外側の部位に設けることにより、ストロークの長いガスダンパを使用でき、操作フィーリングが向上する。
【０００９】
また、下部移送筒（９）を上下方向の任意の回動位置で固定するブレーキ装置（２０）を設け、このブレーキ装置（２０）を操作するブレーキレバー（１７ｃ）を下部移送筒（９）の移送終端部に軸支したので、このブレーキレバー（１７ｃ）に至るワイヤの処理が簡単になる。
【００１０】
そして、移送排出筒（８）を収納状態となる側へ回動操作するときに、ブレーキレバー（１７ｃ）の操作でブレーキ装置（２０）を解除操作して下部移送筒（９）を略垂直状態となる位置の近傍へ回動操作すると、以後は、この下部移送筒（９）がガスダンパ（２４）の推力によって略垂直状態になるまで自動的に回動して上部移送筒（１０）が収納状態となるので、この略垂直状態となる位置の近傍では下部移送筒（９）の回動操作が不要となり、操作性が向上する。
【００１１】
請求項２に記載の発明によると、上記請求項１に記載の発明の効果に加え、上部移送筒（１０）の移送終端に備えた排出筒（１１）の排穀口から、この排出筒（１１）の先端部に設けた蛇腹式のシュータ（１１ｂ）を経て穀粒を機外へ排出することができる。
【発明を実施するための最良の形態】
【００１２】
以下、本発明の一実施例を図面に基づいて説明する。
コンバイン１の走行車台（車台）２の下側には、走行装置３を設けている。又、該走行車台２の前部には、立毛穀稈を刈取りする刈取機４を設けると共に、上側面には、刈取り穀稈を受けて脱穀する脱穀機５と、この脱穀機５の右横側には、脱穀済みで選別済み穀粒を受けて貯留する貯留タンク６を設けた構成である。この貯留タンク６の後側には、貯留穀粒を機外へ移送排出する上部・下部移送筒１０、９と排出口１１ａ（以下、排穀口という。）を有する排出筒１１と、シュータ２８等よりなる移送排出筒装置（移送排出筒）８（以下、穀粒移送排出筒装置という。）を設けた構成である。この穀粒移送排出筒装置８は、上下に二分割した上部移送筒１０と、下部移送筒９とに分割して設け、この上部移送筒１０を折り畳み自在に設ける。この穀粒移送排出筒装置８は、一方側の側方外側（右側）へ回動移動自在に設け、又、基部には、ブレーキ装置２０と、ガスダンパ２４とを設け、この穀粒移送排出筒装置８を上下方向任意位置で固定できる構成である。この穀粒移送排出筒装置８を主に図示して説明する。
【００１３】
前記コンバイン１の走行車台２の下側には、図５で示すように、土壌面を走行する左右一対の走行クローラ３ａを張設した走行装置３を配設し、走行車台２の上側面には、脱穀機５を載置した構成である。走行車台２の前方部の刈取機４で立毛穀稈を刈取りして、後方上部へ移送し、脱穀機５のフィードチェン７ａと、挟持杆７ｂとで引継いで、挟持移送されながら脱穀する。脱穀済みで選別済みの穀粒は、揚穀筒５ａで揚送されて、脱穀機５の右横側に配設した、前後方向へタンク移送螺旋６ａを底部へ軸支した。貯留タンク６内へ供給され、一時貯留される。
【００１４】
前記走行車台２の前方部には、図５で示すように、立毛穀稈を分離するナローガイド１２ａ、及び各分草体１２ｂと、立毛穀稈を引起す各引起装置１２ｃと、引起された穀稈を掻込みする穀稈掻込移送装置１３の各掻込装置１３ａと、掻込された穀稈を刈取る刈刃装置１２ｄと、刈取りされた穀稈を挟持移送して脱穀機５のフィードチェン７ａと挟持杆７ｂとへ受渡しする穀稈掻込移送装置１３の根元・穂先移送装置１４ａ・１４ｂ等からなる刈取機４を設けている。該刈取機４は、油圧駆動による伸縮シリンダ１５により、土壌面に対して、昇降する。
【００１５】
前記刈取機４の前方下部から後方上部へ傾斜する支持杆１６ａの上端部に設ける支持パイプ杆１６ｂを走行車台２の上側面に設けた支持装置１６ｃで回動自在に支持させている。伸縮シリンダ１５を作動させると、支持杆１６ａと共に、刈取機４が上下回動する。
【００１６】
前記刈取機４の穀稈掻込移送装置１３によって形成される穀稈移送経路中には、刈取られて移送される穀稈に接触作用することにより、脱穀機５へ穀稈の供給の有無を検出する穀稈センサ４ａを設けている。
【００１７】
前記貯留タンク６側の前部には、図５で示すように、コンバイン１を始動、停止、及び各部を調節等の操作を行う制御装置１７ａと、操縦席１７ｂとを設け、この操縦席１７ｂの下側にエンジン１８を載置している。
【００１８】
前記走行車台２の前端部に装架した走行用のミッションケース１９内の伝動機構１９ａの伝動経路中には、その出力に基づいて、走行車速を検出するポテンションメータ方式の車速センサ１９ｂを設けている。
【００１９】
前記貯留タンク６内へ貯留した貯留穀粒を機外へ排出する、この貯留タンク６の後側には、図１〜図４で示すように、この貯留タンク６内の前後方向へ軸支内装したタンク移送螺旋６ａの移送終端側の後端部を軸支する後支持メタル６ｃは、貯留タンク６の後側板６ｂの外側面へ装着して設けた構成である。前端部は前側板６ｄへ設けた前支持メタル６ｅで軸支している。
【００２０】
前記後支持メタル６ｃには、図１〜図４で示すように、上下方向所定位置で二分割した、下部移送螺旋９ａを回転自在に軸支内装した下部移送筒９と、上部移送螺旋１０ａを回転自在に軸支内装した上部移送筒１０とよりなる穀粒移送排出筒装置８を設け、この下部移送筒９の下端部へ設けた回動ケース９ｂは、後支持メタル６ｃの外側へ回動自在に装着して設け、この回動ケース９ｂを回動中心（イ）として、これら回動ケース９ｂと、下部・上部移送筒９、１０と、排出筒１１等とよりなる、穀粒移送排出筒装置８は、一体で、例えば、コンバイン１の機体１ａの右側方外側へ回動移動自在な構成であり、手動操作により、右側方外側へ回動移動する。
【００２１】
前記貯留タンク６下部の前後方向へ設けたタンク移送螺旋６ａの移送終端部で、下部移送筒９の下端部へ設けた回動ケース９ｂ内へ軸支したタンクベベルギヤーと、下部移送筒９へ軸支内装した下部移送螺旋９ａの下端へ軸支した下部ベベルギヤーとを噛合させて、下部・上部移送螺旋９ａ、１０ａを回転駆動させて、下部・上部移送筒９、１０内を穀粒が移送され、排出筒１１の排穀口１１ａから、この排出筒１１の先端部へ設けた、筒状で蛇腹式のシュータ１１ｂを経て機外へ排出される。
【００２２】
前記穀粒移送排出筒装置８は、図１、及び図２で示すように、上下方向の所定位置で下部移送筒９と、上部移送筒１０とに二分割し、二分割したこの上部移送筒１０を収納状態に操作するときには、下部移送筒９に対して、折り畳み状態に手動操作し、その後に下部移送筒９を収納状態の略垂直姿勢状態位置へ回動移動操作する。
【００２３】
前記下部移送筒９の上端外径部には、下接合メタル９ｃを設けると共に、内装した下部移送螺旋９ａの移送終端部に下爪クラッチ９ｄを設けている。又、上部移送筒１０の下端外径部には、上接合メタル１０ｂを設けると共に、内装した上部移送螺旋１０ａの移送始端部に上爪クラッチ１０ｃを軸支して設けている。これら下・上接合メタル９ｄ、１０ｃには、接合軸１０ｄを設けて、手動操作により、接続状態と、開き状態とになり、接続状態のときには、上部・下部移送螺旋１０ａ、９ａが回転駆動する。又、この開き状態に操作したときには、上部移送筒１０、及び排出筒１１等とは、折り畳み状態により、又、下爪クラッチ９ｄから上爪クラッチ１０ｃの噛合状態が解除状態になる。
【００２４】
前記ブレーキ装置２０は、図３で示すように、回動板２２と、ブレーキ板２３と、突出板２２ｂとよりなる。回動板２２は、回動ケース９ｂと、下部移送筒９とに装着して設け、この回動板２２には、長孔２２ａを設け、ブレーキアーム２３の内側には、突出板２２ｂを設け、この突出板２２ｂに菱形状で中央部へ向けて傾斜した凹部２２ｃを設けている。
【００２５】
前記回動板２２の後側には、ブレーキ板２３と、回動板２２と、突出板２２ｂとを支持ピン２１で軸支して設けると共に、ナット２１ａで抜け止めを施している。このブレーキ板２３は、ブレーキアーム２３ａと、ブレーキボス２３ｂとよりなり、このブレーキアーム２３ａに菱形状で中央部へ向けて傾斜した凹部２３ｃを設けている。これらブレーキアーム２３ａの凹部２３ｃと、突出板２２ｂの凹部２３ｃとの間には、球状のボール２２ｄを設けている。ブレーキ板２３のブレーキアーム２３ａと、ブレーキレバー１７ｃとの間には、スプリング２３ｅと、ワイヤ２３ｄとを設けて接続している。回動板２２の内外両側には、ブレーキシュー２３ｆ、２３ｆを支持ピン２１で軸支している。
【００２６】
前記ボール２２ｄが各凹部２２ｃ、２３ｃ間にあるときには、回動板２２へブレーキ荷重が負荷されず、手動操作で穀粒移送排出筒装置８を回動移動できる。又、ブレーキレバー１７ｃの操作により、ブレーキ板２３と、ボール２２ｄとを回動移動させて、突出板２２ｂ上の平面部へボール２２ｄが移動したときには、この突出板２２ｂを介して、回動板２２へブレーキ荷重が負荷されて、穀粒移送排出筒装置８を手動操作するときに、大きい力を掛けると移動させることができるが、通常は固定状態になる。
【００２７】
前記穀粒移送排出筒装置８を手動操作により、右側方外側へ回動移動させるときに、補助的な支持させるガスダンパ２４は、図３で示すように、下部移送筒９の後外側へ設けている。このガスダンパ２４の一方側（上側）は、下部移送筒９へ設けたダンパ用支持板２４ａへ装着すると共に、他方側（下側）は、走行車台２の後右側端部（右側後端部）へ装着して設けている。
【００２８】
前記穀粒移送排出筒装置８を一方側（右側）の側方外側へ手動操作で回動移動は、下部移送筒９の基部側へガスダンパ２４を設けて、回動移動の補助をさせて、手動操作で回動すべく設けたことにより、回動移動が容易である。又、コストの安価な穀粒移送排出筒装置８が作製可能である。更に、下部移送筒９の後外側へ設けたことにより、ストロークの長いガスダンパ２４が使用できて、フィーリングが向上する。
【００２９】
前記穀粒移送排出筒装置８の支持は、図３で示すように、ガスダンパ２４で補助すると共に、ブレーキ装置２０により、確実に支持させている。又、このブレーキ装置２０のブレーキレバー１７ｃの操作部、及びクラッチレバー１７ｄとは、下部移送筒９の移送終端近傍部の左右両側へ設けたクラッチ・ブレーキ操作ケース９ｅ、９ｆへ軸支して設けている。
【００３０】
これにより、構成が簡単で前記穀粒移送排出筒装置８を確実に支持できる。又、ワイヤ２３ｄの処理が簡単である。
前記貯留タンク６の後側には、貯留した穀粒を機外へ排出すると共に、一方側の側方外側へ回動自在で、上下方向に上部移送筒１０と、下部移送筒９とに二分割した、穀粒移送排出筒装置８を設け、該移送排出筒装置８の基部には、ブレーキ装置２０と、ガスダンパ２４とを設け、この穀粒移送排出筒装置８を収納状態の略垂直姿勢状態に手回動移動操作のときに、この穀粒移送排出筒装置８を図１で示すように、収納状態の略垂直姿勢状態の近傍部（Ａ）位置へ移動操作すると、それ以後は、ガスダンパ２４の推力の働きにより、この穀粒移送排出筒装置８を収納状態の略垂直姿勢状態になるまで、自動回動移動制御するように設けている。排出作業の最下降位置は、（Ｂ）位置である。
【００３１】
前記穀粒移送排出筒装置８は、下部移送筒９と、上部移送筒１０とに二分割し、この上部移送筒１０を折り畳み自在、又は張り出し自在に設けると共に、基部には、ブレーキ装置２０と、ガスダンパ２４とを設けている。該穀粒移送排出筒装置８を手動回動操作により、収納状態位置である、略垂直姿勢状態位置の近傍部（Ａ）位置への回動移動操作により、ガスダンパ２４の推力により、この穀粒移送排出筒装置８は、収納位置である、略垂直姿勢状態位置へ自動回動移動制御されることにより、略垂直姿勢位置の近傍部（Ａ）位置以降では、操作部（回動用把持部）へ手が届きにくく、又、重く、更に、体重を掛けての操作ができないことにより、操作性が悪いが、これらを解消することができる。又、略垂直姿勢位置の近傍部（Ａ）位置以降では、操作が不用であり、安全であると共に、自動回動移動に変わることにより、操作性の向上を図ることができる。
【００３２】
前記穀粒移送排出筒装置８の上部移送筒１０を折り畳み状態に操作時、及び張り出し状態に操作時共に、該穀粒移送排出筒装置８を収納状態の略垂直姿勢状態の近傍部（Ａ）位置へ移動操作すると、それ以後は、ガスダンパ２４の推力の働きにより、この穀粒移送排出筒装置８を収納状態の略垂直姿勢状態になるまで、自動回動移動制御するように設けている。
【００３３】
前記穀粒移送排出筒装置８の上部移送筒１０を折り畳み状態に操作時、及び張り出し状態に操作時、これら両者共に、該穀粒移送排出筒装置８を収納状態の略垂直姿勢状態の近傍部（Ａ）位置へ移動操作すると、ガスダンパ２４の推力の働きにより、この穀粒移送排出筒装置８を収納状態の略垂直姿勢状態に、自動回動移動制御されることにより、略垂直姿勢位置の近傍部（Ａ）以降では、操作部（回動用把持部）へ手が届きにくく、又、重く、更に、体重を掛けての操作ができないことにより、操作性が悪いが、これらを解消することができる。又、垂直姿勢位置の近傍部（Ａ）以降では、操作が不用となり、安全であると共に、自動回動移動に変わることにより、操作性の向上を図ることができる。
【００３４】
前記穀粒移送排出筒装置８の下部移送筒９の下部移送螺旋９ａと、上部移送筒１０の上部移送螺旋１０ａとの回転駆動の伝動は、図４で示すように、エンジン１８の回転動力がタンク移送螺旋６ａへ入力され、このタンク移送螺旋６ａから下部移送螺旋９ａが回転駆動され、この下部移送螺旋９ａの下爪クラッチ９ｄから上爪クラッチ１０ｃを経て、上部移送螺旋１０ａが回転駆動され、穀粒は機外へ排出される。
【００３５】
前記穀粒移送排出筒装置８は、図６で示すように、穀粒を排出する排出作業域（Ｃ）と、非排出作業域とを設定し、この排出作業領域（Ｃ）では、ブレーキ装置２０により、ブレーキ荷重が常に負荷されるように設けている。又、非排出作業領域（Ｄ）、（Ｅ）では、該ブレーキ装置２０によるブレーキ荷重が常に負荷されないように設けている。
【００３６】
これにより、排出作業領域（Ｃ）では、前記穀粒移送排出筒装置８の自然下降を防止することができる。
前記穀粒移送排出筒装置８は、図６で示すように、穀粒を排出する排出作業域（Ｃ）では、ブレーキ装置２０によるブレーキ荷重が常に負荷されないように設けている。又、非排出作業領域（Ｄ）、（Ｅ）では、ブレーキ装置２０によるブレーキ荷重が常に負荷されるように設けている。
【００３７】
これにより、排出作業領域（Ｃ）では、前記穀粒移送排出筒装置８の操作性が向上する。
前記穀粒移送排出筒装置８の後側には、図７、及び図８で示すように、貯留タンク６を重合状態に設け、この貯留タンク６の外れを防止している。
【００３８】
これにより、装着不良等により、前記貯留タンク６が外れた場合にストッパにすることができる。
前記コンバイン１には、図９〜図１２で示すように、後方部と右横側へ１８０度転倒を防止する。丸棒材、四角材、六角材等のいずれかよりなる転倒防止フレーム２５を、このコンバイン１の脱穀機５右横側へ設けた貯留タンク６の後側部へこのコンバイン１の上側面より、上方へ大きく突出させて設けている。又、この転倒防止フレーム２５は、上下方向の略中間位置で上防止フレーム２５ａと、下防止フレーム２５ｂとに二分割して、この上防止フレーム２５ａを折り畳み自在に設けている。
【００３９】
これにより、前記コンバイン１が後方へ１８０度反転した時は、運転作業者がこのコンバイン１の下敷きになることを防止できる。又、このコンバイン１の右側後方で上方へ大きく突出させて設けた、一本の転倒防止フレーム２５で転倒防止ができると共に、低コストである。更に、折り畳み方式であり、収納することにより、機体全高を低くでき、狭いスペースへ収納できる。
【００４０】
前記コンバイン１へ設けた穀粒移送排出筒装置８は、下部・上部移送筒９、１０と、排出筒１１と、シュータ１１ｂとよりなり、図１４〜図１８で示すように、この穀粒移送排出筒装置８を穀粒を機外への排出と、コンバイン１が後方、及び右横側へ１８０度転倒を防止する。転倒安全装置として兼用している。この穀粒移送排出筒装置８の上部移送筒１０を折り畳み操作、又は右横側へ回動移動操作して、転倒を防止させることもできる。
【００４１】
これにより、前記穀粒移送排出筒装置８を転倒安全装置として兼用したことにより、コスト低減になると共に、コンバイン１が後側、及び右横側への転倒防止ができる。
図３、図２０、及び図２１で示すように、ブレーキ装置２０の回動板２２の一方側の外側面に、図２１で示す斜線部２２ｅには、段着を設け、この回動板２２には、厚みの薄い部分２２ｅを設け、部分的にブレーキ荷重の減少を図っている。
【００４２】
これにより、前記穀粒移送排出筒装置８の調節位置により、ブレーキ荷重が変化することにより、操作性、及び使用性の向上を図っている。
図３、及び図２２〜図２４で示すように、ブレーキ装置２０の回動板２２の一方側の外側面に、図２１で示す斜線部２２ｆには、内側の所定位置（ロ）の厚み（ｔ１）から、外側端部の厚み（ｔ２）へ向けて傾斜させた、傾斜面２２ｈを設けると共に、この傾斜面２２ｈの加工は、フライス盤等により、機械での切削加工としている。機械加工された傾斜面２２ｈ側は、貯留タンク６側へ設けている。
【００４３】
これにより、簡単な方法で変化をつけて、ブレーキ荷重を変化させて、操作性、及び使用性の向上を図っている。又、ブレーキシュー２３ｆの摩耗を防ぐ。
前記回動板２２を、図２５で示すように、鉄板材で絞り加工で形成し、傾斜面２２ｈは、深絞り（ｔ１）から順次浅絞り（ｔ２）に加工している。
【００４４】
これにより、鉄板材で簡単な方法で変化をつけて、ブレーキ荷重を変化させ、操作性、及び使用性の向上を図っている。
【図面の簡単な説明】
【００４５】
【図１】穀粒移送排出筒装置の背面図
【図２】穀粒移送排出筒装置の折り畳み時の拡大背面図
【図３】穀粒移送排出筒装置の背面図
【図４】貯留タンクと、下部移送筒との拡大平断面図
【図５】コンバインの左側全体側面図
【図６】貯留タンクと、穀粒移送排出筒装置との背面図
【図７】貯留タンクと、穀粒移送排出筒装置との正面図
【図８】貯留タンクと、穀粒移送排出筒装置との平面図
【図９】コンバインの後方へ転倒時の側面図
【図１０】コンバインの右横側へ転倒時の背面図
【図１１】コンバインと、転倒防止フレームの折り畳み時の側面図
【図１２】コンバインと、転倒防止フレームの折り畳み時の平面図
【図１３】コンバインと、転倒防止フレームの折り畳み時の側面斜視図
【図１４】コンバインの右横側へ転倒時の背面図
【図１５】コンバインの右横側へ転倒時の背面図
【図１６】コンバインと、穀粒移送排出筒装置との側面図
【図１７】コンバインと、穀粒移送排出筒装置との平面図
【図１８】コンバインと、穀粒移送排出筒装置との背面図
【図１９】コンバインと、穀粒移送排出筒装置との側面斜視図
【図２０】ブレーキ装置部の拡大側面図
【図２１】ブレーキ装置の回動板の拡大背面図
【図２２】ブレーキ装置部の拡大側面図
【図２３】ブレーキ装置の回動板の拡大背面図
【図２４】ブレーキ装置の回動板取付部の背面図
【図２５】ブレーキ装置の回動板一部の拡大側面図
【符号の説明】
【００４６】
１ａ 機体
２ 走行車台（車台）
３ 走行装置
４ 刈取機
５ 脱穀機
６    貯留タンク
６ａ タンク移送螺旋
６ｂ 後側板
６ｃ 後支持メタル
８    穀粒移送排出筒装置（移送排出筒）
９    下部移送筒
９ｂ 回動ケース
１０    上部移送筒
１１ 排出筒
１１ｂ シュータ
１７ｃ ブレーキレバー
２０    ブレーキ装置
２４    ガスダンパ
【図１】
0004706548.tif 000002
【図２】
0004706548.tif 000003
【図３】
0004706548.tif 000004
【図４】
0004706548.tif 000005
【図５】
0004706548.tif 000006
【図６】
0004706548.tif 000007
【図７】
0004706548.tif 000008
【図８】
0004706548.tif 000009
【図９】
0004706548.tif 000010
【図１０】
0004706548.tif 000011
【図１１】
0004706548.tif 000012
【図１２】
0004706548.tif 000013
【図１３】
0004706548.tif 000014
【図１４】
0004706548.tif 000015
【図１５】
0004706548.tif 000016
【図１６】
0004706548.tif 000017
【図１７】
0004706548.tif 000018
【図１８】
0004706548.tif 000019
【図１９】
0004706548.tif 000020
【図２０】
0004706548.tif 000021
【図２１】
0004706548.tif 000022
【図２２】
0004706548.tif 000023
【図２３】
0004706548.tif 000024
【図２４】
0004706548.tif 000025
【図２５】
0004706548.tif 000026